(57)【要約】【課題】マサイウォーキング用専門履き物のミッドソールを提供する。【解決手段】マサイウォーキング用専門履き物のミッドソールに、前シャンクと後シャンクとが１個または複数個のスプリングで結合されているスプリングシャンクが埋め込まれており、地面への足の運動が、着地段階、重心移動段階及び離脱段階に区分される３拍子歩行の場合、スプリングの弾性によって３拍子ローリング（ｒｏｌｌｉｎｇ）運動が円滑になりながら、前シャンクと後シャンクを押下しつつ歩けるようになり、アーチ形態の指圧効果が得られる、マサイウォーキング用専門履き物の貫通トンネルミッドソール構造を提供する。【選択図】図１
2009142637.tif 000002
【特許請求の範囲】
【請求項１】
甲革、中敷き、インソール、ミッドソール及び膨らんだ曲面のアウトソールで構成された、マサイウォーキングを再現可能にするマサイウォーキング用専門履き物構造において、
前記履き物構造は、
硬度４０〜６０のポリエステル及びポリウレタンの中から選択されたいずれか一つの材質からなり、前方部から後方部にわたって膨らんだ曲面の弧状に形成され、かかど部の傾斜角が２５〜４５°であり、後方部の一側面から他側面に貫通してある複数個の貫通トンネル（２２）がミッドソールと一体に形成されており、貫通トンネル（２２）の間に複数個の上部突起（２４）及び下部突起（２６）がミッドソールと一体に形成されているミッドソール（２０）と、
前記ミッドソール（２０）の内部上側に埋め込まれており、前シャンク（６２）と後シャンク（６４）とが１個または複数個のスプリング（６６）で結合されているスプリングシャンク（６０）と、
からなることを特徴とする、マサイウォーキング用専門履き物のミッドソール。
【請求項２】
前記スプリングシャンクは、スプリング（６６）に外皮（７０）がコーティングされていることを特徴とする、請求項１に記載のマサイウォーキング用専門履き物のミッドソール。
【請求項３】
前記スプリングシャンクは、
前方の一定位置から前方先端にまで開放された多数のスリット（６２ａ）が形成されており、後端に複数個の前スプリング輪（６３）が形成されている前シャンク（６２）と、
前端に複数個の後スプリング輪（６５）が形成されている後シャンク（６４）と、
前記前スプリング輪（６３）と後スプリング輪（６５）とに連結された複数個のスプリング（６６）と、
からなることを特徴とする、請求項１に記載のマサイウォーキング用専門履き物のミッドソール。
【発明の詳細な説明】
【技術分野】
【０００１】
本発明は、スプリングシャンクが埋め込まれた、マサイウォーキング用専門履き物の貫通トンネルミッドソール構造に関するもので、より詳細には、マサイウォーキング用専門履き物のミッドソールに、前シャンクと後シャンクとが１個または複数個のスプリングで結合されているスプリングシャンクが埋め込まれることによって、地面への足の運動が着地段階、重心移動段階及び離脱段階に区分される３拍子歩行の場合、スプリングの弾性によって３拍子ローリング（ｒｏｌｌｉｎｇ）運動が円滑になりながら、前シャンクと後シャンクを押下しつつ歩けるようになり、アーチ形態の指圧効果を得ることができるマサイウォーキング用専門履き物の貫通トンネルミッドソール構造に関する。
【背景技術】
【０００２】
本発明は、マサイウォーキングを再現可能にするマサイウォーキング用専門履き物のそこ部の構造に関するもので、本出願の発明者による韓国実用新案登録第２０−０４０２５８７号（かかとを改良した健康履き物）と、韓国特許登録第１０−０５８４５２７号（トンネル部が形成されたローリング運動健康履き物装着用のミッドソール及びその製法）を改良・発明したものである。
2009142637.tif 000003
韓国特許第１０−３７７８２２号に関する上図において参照符号の名称は、１：履き物、２：甲革、３：そこ部、１０：インソール（ｉｎｓｏｌｅ：中敷き）、１２:ミッドソール（ｍｉｄｓｏｌｅ）、１３：アウトソール（ｏｕｔｓｏｌｅ）である。この韓国特許第１０−３７７８２２号は、かかと部がなく、履き物のそこ部が曲面状（弧状）になっている、マサイ族のように歩けるようにする履き物で、マサイウォーキング（Ｍａｓａｉ  Ｗａｌｋｉｎｇ）専門のローリングウォーキング履き物（ａｃｔｉｖｅ  ｒｏｌｌｉｎｇ  ｗａｌｋｉｎｇ  ｆｏｏｒｗａｒｅ：よくローリングする歩行用履き物）として呼ばれているものに関する。この韓国特許第１０−３７７８２２号の図２乃至図４には、下記のように歩き方が示されており、“マサイウォーキング（Ｍａｓａｉ  Ｗａｌｋｉｎｇ）で歩く姿”と記載されている。
2009142637.tif 000004
【０００３】
韓国ウォーキング協会、世界ウォーキング協会、履物業界及び一般の需要者は、履き物のかかとがなく、履き物のそこ部が曲面状（弧状）となっており、マサイ族のように歩けるようにする履き物を、ＭＢＴ（Ｍａｓａｉ  Ｂａｒｅｆｏｏｔ  Ｔｅｃｈｎｏｌｏｇｙ：マサイ族の裸足の技術）靴と呼んでおり、インターネットの他にも、一般書籍、新聞、雑誌、ＴＶ放送においては、マサイウォーキング（Ｍａｓａｉ  Ｗａｌｋｉｎｇ）用専門シューズまたはマサイ族ウォーキング用専門シューズ、マサイウォーキング用専用シューズ、マサイウォーキングに関する特許シューズまたはマサイウォーキング特許シューズと呼ばれている。
【０００４】
一般に、歩行時には、大きく、かかとによる着地段階、かかとからつま先への重心移動段階、つま先が地面を蹴り出しつつ離脱する段階の３拍子を、左右の足が地面に対して連続して反復することになる。従来の靴は、ヒールの形状が地面に対して略直角となり、特に、ヒール高の靴の場合には、ヒールのエッジが鋭くなっており、着地時にこの鋭いエッジ部が地面に最も早く着く。ところが、このようにヒールの接地面が狭い線形に近くなると、着地時の衝撃が大きく、着地の次の段階である重心移動段階への移動が一気になされるため、足首関節の他、脚と身体の各関節に急に衝撃力が伝えられ、着地感が悪く、歩行が不自然になってしまう。
【０００５】
本出願人が先出願した韓国特許出願第１０−２００７−１１４６３４号、第１０−２００７−１２４０９４号、及び第１０−２００７−１２０８４２号のように、従来のマサイウォーキング用ローリングシューズのミッドソールには高弾力性のシャンクが埋め込まれており、このようなシャンクは、上部後方側の内部に埋め込まれており、前方部が、前方の一定位置から前方先端にまで形成される多数のスリットによって数等分されており、中央腰部分に補強のためのビード（ｂｅｅｄ）形態のリブが前後方向に形成されている。従来のマサイウォーキング用ローリングシューズのミッドソールに埋め込まれているシャンクは前後に動くから、３拍子の歩行時にミッドソール自体が滑らかにローリングできない問題点があり、ミッドソール自体が弾むような感じがし、３拍子の歩行が不自然になるという問題点があった。
【０００６】
【特許文献１】韓国実用新案登録第２０−０４０２５８７号
【特許文献２】韓国特許登録第１０−０５８４５２７号
【特許文献３】韓国特許第１０−３７７８２２号
【特許文献４】韓国特許出願第１０−２００７−１１４６３４号
【特許文献５】韓国特許出願第１０−２００７−１２４０９４号
【特許文献６】韓国特許出願第１０−２００７−１２０８４２号
【発明の開示】
【発明が解決しようとする課題】
【０００７】
本発明は、上述した従来の履き物における問題を改善するためのもので、その目的は、マサイウォーキングを再現可能にしたマサイウォーキング用専門履き物のそこ部構造において、マサイウォーキング用専門履き物のミッドソールに、前シャンクと後シャンクとが１個または複数個のスプリングで結合されたスプリングシャンクが埋め込まれることによって、地面に対する足の運動が着地段階、重心移動段階及び離脱段階に区分される３拍子歩行の場合、スプリングの弾性によって３拍子ローリング（ｒｏｌｌｉｎｇ）運動が円滑になりながら、前シャンクと後シャンクを押下しつつ歩けることになり、アーチ形態の指圧効果を得ることができる、マサイウォーキング用ローリング履き物に装着されるミッドソールを提供することある。
【課題を解決するための手段】
【０００８】
本発明は、マサイウォーキング用専門履き物のミッドソールに、前シャンクと後シャンクとが１個または複数個のスプリングで結合されているスプリングシャンクを埋め込む構成とした。
【発明の効果】
【０００９】
本発明は、ミッドソールの内部上側にスプリングシャンクが埋め込まれており、そこ部のかかと底面を、かかとの形状及び歩行時の足首関節に対するかかとの運動軌跡に沿って前後方向に曲面形状に形成し、歩行時に地面に対してローリング運動がなされ、地面に対する足の運動が、着地段階、重心移動段階及び離脱段階に区分される３拍子歩行の場合、スプリングの弾性によって３拍子ローリング（ｒｏｌｌｉｎｇ）運動が円滑になりながら、前シャンクと後シャンクを押下しつつ歩けるようになり、アーチ形態の指圧効果が得られるマサイウォーキング用専門シューズを製作でき、履き物産業上、非常に有用である。
【発明を実施するための最良の形態】
【００１０】
本発明は、甲革、中敷き、インソール、ミッドソール及び膨らんだ曲面のアウトソールで構成された、マサイウォーキングを再現可能にするマサイウォーキング用専門履き物のミッドソール構造において、硬度４０〜６０のポリエステル及びポリウレタンの中から選択されたいずれか一つの材質からなり、前方部から後方部にわたって膨らんだ曲面の弧状に形成され、かかとの傾斜角が２５〜４５°となるように形成されており、後方部の一側面から他側面に貫通してある複数個の貫通トンネル２２がミッドソールと一体に形成されており、貫通トンネル２２の間に複数個の上部突起２４及び下部突起２６がミッドソールと一体に形成されているミッドソール２０と；ミッドソール２０の内部上側に埋め込まれており、前シャンク６２と後シャンク６４とが１個または複数個のスプリング６６で結合されているスプリングシャンク６０と；からなることを特徴とする、マサイウォーキング用専門履き物の貫通トンネルミッドソール構造に関する。
【００１１】
本発明のミッドソール構造においてスプリングシャンクは、スプリング６６に外皮７０がコーティングされていることを特徴とする。また、本発明のマサイウォーキング用専門履き物の貫通トンネルミッドソール構造において、スプリングシャンクは、前方の一定位置から前方先端にまで開放された多数のスリット６２ａが形成されており、後端に複数個の前スプリング輪６３が形成されている前シャンク６２と；前端に複数個の後スプリング輪６５が形成されている後シャンク６４と；前スプリング輪６３と後スプリング輪６５とに連結された複数個のスプリング６６と；からなることを特徴とする。
【００１２】
本発明のスプリングシャンクが埋め込まれたマサイウォーキング用専門履き物は、甲革、そこ部及び中敷きで構成された通常の靴であり、履き物のそこ部が、インソール１０、ミッドソール２０及びアウトソール３０からなっており、履き物のかかと部がなく、履き物のそこ部底面が曲面の弧状に形成されているため、マサイ族のように歩けるようにするＭＢＴ（Ｍａｓａｉ  Ｂａｒｅｆｏｏｔ  Ｔｅｃｈｎｏｌｏｇｙ）靴、マサイウォーキング（Ｍａｓａｉ  Ｗａｌｋｉｎｇ）用専門シューズ、マサイウォーキング用シューズ、マサイウォーキング専用シューズ、マサイウォーキングに関する特許技術シューズまたはマサイウォーキング特許履き物に関する。
【００１３】
本発明のマサイウォーキング用専門履き物において、ミッドソール２０は、そこ部の外形及び曲面形状に沿って板状に形成され、ミッドソール２０の内部上側にスプリングシャンク（ｓｈａｎｋ）６０が埋め込まれているので、そこ部のかかと底面を、かかとの形状及び歩行時の足首関節に対するかかとの運動軌跡に沿って前後方向に曲面状に形成し、よって、地面に対してローリング運動しつつ歩行可能になる。
【００１４】
図１〜図７に示すように、本発明のマサイウォーキング用専門履き物のミッドソール２０に埋め込まれているスプリングシャンク６０は、前シャンク６２と後シャンク６４とが１ケまたは複数個のスプリング６６で結合されているため、地面に対する足の運動が着地段階、重心移動段階及び離脱段階に区分される３拍子の歩行である場合、スプリング６６が弾性作用をし、該スプリング６６の弾性によってローリング（ｒｏｌｌｉｎｇ）が自然になる。また、本発明のマサイウォーキング用専門履き物のミッドソール２０に埋め込まれているスプリングシャンク６０は、歩行時に履き物のそこ部が弾むような感じがせず、かかとからつま先まで自然にローリングができるようにし、弾力的な足運びを可能にする。また、本発明のマサイウォーキング用専門履き物のミッドソール２０は、地面に対する足の運動が、着地段階、重心移動段階及び離脱段階に区分される３拍子歩行の場合、スプリング６６の弾性によって３拍子ローリング（ｒｏｌｌｉｎｇ）運動が円滑になりながら、前シャンク６２と後シャンク６４を押下しつつ歩けるようになり、アーチ形態の指圧効果が得られる。
【００１５】
本発明のマサイウォーキング用専門履き物のそこ部構造においてスプリングシャンク６０は、スプリング６６に外皮７０がコーティングされていることが好ましく、ポリビニルクロリド（ＰＶＣ）樹脂、ポリウレタン樹脂及びポリエステル樹脂の中から選択されるいずれか一つの合成樹脂でコーディングされることが好ましい。また、本発明のスプリングシャンクが埋め込まれたマサイウォーキング用専門履き物のそこ部構造において、スプリングシャンク６０は、前方の一定位置から前方先端にまで開放された多数のスリット６２ａが形成されており、後端に複数個の前スプリング輪６３が形成されている前シャンク６２と；前端に複数個の後スプリング輪６５が形成されている後シャンク６４と；前スプリング輪６３と後スプリング輪６５とに連結された複数個のスプリング６６と；からなることが好ましい。
【００１６】
本発明のミッドソールが装着されたローリング履き物は、歩行時に、地面に対する足の運動が、着地段階、重心移動段階及び離脱段階に区分して観察されることができる。本発明のミッドソールが装着されたローリング履き物は、着地段階において着地する瞬間にかかとが地面に着くが、このとき、かかととの接地面積が広いため、着地による衝撃量が相対的に減り、また、スプリング６６の弾性によって３拍子ローリング（ｒｏｌｌｉｎｇ）運動が円滑になりながら、前シャンク６２と後シャンク６４を押下しつつ歩けるようになり、アーチ形態の指圧効果が得られ、その結果、緩衝効率が高く、滑らかな着地を実現できる。
【００１７】
本発明のミッドソールが装着されたローリング履き物は、スプリングシャンク６０が埋め込まれていない場合に比べて硬度を半分に減らし、緩衝効果を増加させる。本発明のミッドソールが装着されたローリング履き物は、重心移動段階に歩行動作が続くと、曲面形状のかかと底面は地面に沿ってローリング運動をし、衝撃力は連続して分散されて吸収される。また、本発明のミッドソールが装着されたローリング履き物は、曲面形状に沿って次第に重心が移動するので、足首関節、脚及び身体の各関節には急な衝撃が誘発されず、滑らかで自然な歩行が可能になる。
【００１８】
本発明のミッドソールに埋め込まれたスプリングシャンク６０は、前方部が、前方側の一定位置から前方先端までに開放形成された多数のスリット６２ａによって数等分され、中央腰部分には補強のためのビード（ｂｅｅｄ）形態のリブが前後方向に形成されていることが好ましい。本発明のミッドソールが装着されたローリング履き物においてスプリングシャンク６０は、そこ部及び履き物の原形を保存し、歩行時に屈曲及び伸張の変形頻度の高いそこ部が、元来の形状に円滑に復元されるようにすると共に、歩行時に歩行の安全性を向上させ、離脱段階で反撥力を付加し、軽快な歩行を可能にする。本発明のミッドソールが装着されたローリング履き物においてスプリングシャンク６０は、いずれの形状及び素材にしても良いが、合成樹脂（ＰＶＣ）材質を使用し、ミッドソール２０の外形及び曲面形状に沿って板状に形成すると好ましく、歩行時に屈曲角が比較的大きいスプリングシャンク６０の前方部は、前方の一定位置から前方先端にまで開放形成された多数のスリット６２ａによって数等分することによって、つま先部位の曲げ作用が容易になるようにし、シャンクの中央腰部分は、補強のためにビード（ｂｅｅｄ）形態のリブを前後方向に形成させることが好ましく、多数の貫通穴６２ｃを形成し、ミッドソール２０の製造時に成形液が円滑に流動できるようにすることが好ましい。
【００１９】
図１〜図７に示すように、本発明の履き物においてアウトソール３０のかかと部は、地面に対する主要傾斜角が２５〜４５°である曲面の弧状に形成されており、主要傾斜角が２５°以下の場合、マサイウォーキング用専門履き物のローリング（ｒｏｌｌｉｎｇ）作用が発揮されず、主要傾斜角が４５°以上であれば、傾斜があまりにも急なため、履き物の着用時または起立時に不安定な姿勢となりやすい。
【００２０】
本発明のミッドソールが装着されたマサイウォーキング専門ローリング履き物においてミッドソール２０は、硬度４０〜６０のポリエステル及びポリウレタンの中から選択されたいずれか一つの材質からなる。ミッドソールの硬度が４０以下であると、柔らかすぎ、ミッドソールが支持体の役割を十分に果たすことができなく、ミッドソールの硬度が６０以上であると、硬すぎるので、ミッドソールが弾性体の役割を十分に果たせないという問題点につながる。
【００２１】
図１〜図７に示すように、本発明のマサイウォーキング用専門履き物においてミッドソール２０は、後方部に複数個の貫通トンネル２２がミッドソールと一体に形成されており、貫通トンネル２２の間に複数個の上部突起２４及び下部突起２６がミッドソールと一体に形成されているので、ミッドソールの製作工程が縮減され、製作単価が節減される。図１〜図７に示すように、本発明のマサイウォーキング用専門履き物は、後方部に、複数個の貫通トンネル２２がミッドソールと一体に形成されており、貫通トンネル２２の間に複数個の上部突起２４及び下部突起２６がミッドソールと一体に形成されているので、ソフト感知体が加水分解現象によって破損するのを防止でき、また、クッションによる反撥力を強力にすることができる。
【００２２】
本発明のミッドソールが装着されたローリング履き物においてミッドソール２０の内部に埋め込まれたシャンクにより、そこ部及び履き物の原形がよく保存され、歩行時に屈曲及び伸張による変形頻度が高いそこ部の元来形状への復元が円滑になり、そこ部の形状が弾力的で堅固に維持されるので、歩行の安全性が向上する他、離脱段階で復原力による反撥力が付加されてつま先を歩行方向に押し、軽快な歩行が可能になり、歩行効率が高くなる。
【００２３】
本発明のマサイウォーキング用専門履き物においてインソール１０は、ミッドソール２０の上部に装着されており、硬度２５〜３０の不織布の材質からなり、歩行の安全性が高い他、離脱段階で復原力による反撥力が付加され、軽快な歩行がなされるようにし、歩行効率を向上させることができる。インソール１０の硬度が２５以下であると、柔らかすぎるのでインソールが支持体の役割を十分に果たせなく、硬度が３０以上であると、硬すぎるのでインソールが弾性体の役割を十分に果たせなくなる。
【００２４】
本発明のマサイウォーキング用専門履き物においてアウトソール３０は、ミッドソール２０の下部に装着されており、硬度７０〜８０のポリエステル及びポリウレタンの中から選択されたいずれか一つの材質からなり、前方部から後方部にわたって膨らんだ曲面の弧状に形成されており、かかと部の傾斜角が２５〜４５°になっている。アウトソール３０の硬度が７０以下であると、柔らかすぎるのでアウトソールが支持体の役割を十分に果たせなく、アウトソールの硬度が８０以上であると、硬すぎるのでアウトソールが弾性体の役割を十分に果たせないという問題点につながる。
【図面の簡単な説明】
【００２５】
【図１】本発明のマサイウォーキング用専門履き物のそこ部構造を示す分解斜視図である。
【図２】本発明のマサイウォーキング用専門履き物のそこ部構造を示す斜視図である。
【図３】本発明のそこ部に埋め込まれたスプリングシャンクの一例を示す斜視図である。
【図４】本発明のそこ部に埋め込まれたスプリングシャンクの一例を示す側面図である。
【図５】本発明のそこ部に埋め込まれたスプリングシャンクの他の例を示す斜視図である。
【図６】本発明のそこ部に埋め込まれたスプリングシャンクの他の例を示す側面図である。
【図７】本発明のマサイウォーキング用専門履き物を示す斜視図である。
【符号の説明】
【００２６】
１０    インソール
２０    ミッドソール
２２    貫通トンネル
２４    上部突起
２６    下部突起
３０    アウトソール
６０    スプリングシャンク
６２    前シャンク
６２ａ  スリット
６２ｃ  貫通穴
６３    前スプリング輪
６４    後シャンク
６５    後スプリング輪
６６    スプリング
７０    外皮
【図１】
2009142637.tif 000005
【図２】
2009142637.tif 000006
【図３】
2009142637.tif 000007
【図４】
2009142637.tif 000008
【図５】
2009142637.tif 000009
【図６】
2009142637.tif 000010
【図７】
2009142637.tif 000011